(57)【要約】【課題】  画像読取装置の小型化を図りながら表示部の大型化を図ることができる画像読取装置を提供する。【解決手段】  ＭＦＰ１０は、本体２０、カバー３０、表示部３１及び操作部３２を備える。本体は、原稿が載置される原稿台２１を上面に有し、原稿の画像を読み取る画像読取部４０を原稿台２１の下方に有する。カバー３０は、本体２０の上面に対して開閉自在にされ原稿の上面を押え付ける。表示部３１は、種々の情報を表示し、操作部３２は、画像を読み取る動作に関する入力操作を受け付ける。表示部３１及び操作部３２は、カバー３０の上面にのみ設けられる。【選択図】  図３
2007043271.tif 000002
【特許請求の範囲】
【請求項１】
原稿が載置される原稿台を上面に有し前記原稿の画像を読み取る本体と、
前記本体の上面に対して開閉自在にされ前記原稿の上面を押え付けるカバー部と、
種々の情報を表示する表示部と、
前記画像を読み取る動作に関する入力操作を受け付ける操作部と、を備え、
前記表示部及び前記操作部は、前記カバー部の上面にのみ設けられたことを特徴とする画像読取装置。
【請求項２】
前記表示部及び前記操作部の動作を制御する制御部を前記カバー部にさらに備えたことを特徴とする請求項１に記載の画像読取装置。
【請求項３】
前記カバー部は、前記本体に対して着脱自在であることを特徴とする請求項１または２に記載の画像読取装置。
【請求項４】
前記本体と前記カバー部とは、平面視において形状及び大きさが略一致することを特徴とする請求項１から３のいずれかに記載の画像読取装置。
【発明の詳細な説明】
【技術分野】
【０００１】
この発明は、原稿を載置するための平面状の原稿台を上面に備えた所謂フラットベッドタイプの画像読取装置に関する。
【背景技術】
【０００２】
図１及び図２は、従来の画像読取装置を示す平面図である。従来から、画像読取装置１は、上面に、動作条件などの種々の情報を表示する表示部２、並びに、動作開始及び動作条件などの入力操作を受け付ける操作部３を備えている（例えば、特許文献１及び２参照。）。同様に、画像読取装置１Ａは、上面に、表示部２Ａ及び操作部３Ａを備えている。
【０００３】
近年、原稿から読み取った画像を表示部２に表示させる技術が開発されたことなどから、表示部２の大型化が望まれている。
【特許文献１】特開２００４−５６３６９公報
【特許文献２】特開平３−１１７４号公報
【発明の開示】
【発明が解決しようとする課題】
【０００４】
しかし、従来の画像読取装置１，１Ａでは、表示部２，２Ａ及び操作部３，３Ａは、フラットベッドカバー（以下、カバーという。）４，４Ａの前部又は側部に配置されていた。このため、平面視における画像読取装置１，１Ａの面積は、カバー４，４Ａの面積に表示部２，２Ａ及び操作部３，３Ａの面積を加えた大きさとなる。したがって、画像読取装置１，１Ａの小型化を図りながら表示部２，２Ａの大型化を図ることは、困難であった。
【０００５】
また、特許文献１及び２には、カバー上に表示部を備えた画像読取装置が開示されているが、特許文献１及び２の画像読取装置は、カバー上の表示部以外に、カバーの前部にも表示部及び操作部を備えている。このため、特許文献１及び２の画像読取装置では、カバーに備えた表示部を大型化できたとしても、画像読取装置の小型化を図ることは困難であった。
【０００６】
この発明の目的は、画像読取装置の小型化を図りながら表示部の大型化を図ることができる画像読取装置を提供することにある。
【課題を解決するための手段】
【０００７】
この発明の画像読取装置は、上述の課題を解決するために以下のように構成される。
【０００８】
（１）原稿が載置される原稿台を上面に有し前記原稿の画像を読み取る本体と、前記本体の上面に対して開閉自在にされ前記原稿の上面を押え付けるカバー部と、種々の情報を表示する表示部と、前記画像を読み取る動作に関する入力操作を受け付ける操作部と、を備え、前記表示部及び前記操作部は、前記カバー部の上面にのみ設けられたことを特徴とする。
【０００９】
この構成においては、カバー部は、本体の上面に対して開閉自在にされており、表示部と操作部とを上面に有する。表示部及び操作部は、カバー部の上面にのみ設けられ、カバー部の上面以外の部分には設けられない。
【００１０】
（２）前記表示部及び前記操作部の動作を制御する制御部を前記カバー部にさらに備えたことを特徴とする。
【００１１】
この構成においては、表示部及び操作部の動作を制御する制御部が、本体ではなくカバー部に表示部及び操作部とともに備えられる。このため、カバー部を他の機種の本体に取り付けた場合でも、表示部及び操作部の制御部を付け替える必要がなく、表示部及び操作部が正常に作用する。
【００１２】
（３）前記カバー部は、前記本体に対して着脱自在であることを特徴とする。
【００１３】
この構成においては、カバー部は本体に対して着脱自在であるので、本体とカバー部との組み合わせが容易に変更される。
【００１４】
（４）前記本体と前記カバー部とは、平面視において形状及び大きさが略一致することを特徴とする。
【００１５】
この構成においては、本体とカバー部とは、平面視において形状及び大きさがともに略一致するように形成され、表示部及び操作部はカバー部の上面に設けられる。
【発明の効果】
【００１６】
この発明によれば、以下の効果を奏することができる。
【００１７】
（１）表示部がカバー部の上面に設けられるので、表示部を容易に大型化することができる。また、表示部及び操作部がカバー部の上面にのみ設けられ、カバー部の上面以外の部分には設けられないので、画像読取装置を小型化することができる。したがって、画像読取装置の小型化を図りながら表示部の大型化を図ることができる。
【００１８】
（２）表示部及び操作部の動作を制御する制御部を表示部及び操作部とともにカバー部に設けたので、カバー部を他の機種の本体に取り付けた場合でも、表示部及び操作部の制御部を付け替えることなく、表示部及び操作部を正常に作用させることができる。また、表示部及び操作部の制御部を付け替える手間を省くことができる。
【００１９】
（３）本体とカバー部との組み合わせを容易に変更することができるので、本体に対してカバー部を異なる機能を有する別のカバー部に容易に交換することができる。
【００２０】
（４）表示部及び操作部がカバー部の上面に設けられ、本体とカバー部とは、平面視において形状及び大きさがともに略一致するので、画像処理装置の小型化を図りながら、表示部を大型化することができる。
【発明を実施するための最良の形態】
【００２１】
以下に、この発明の実施形態について図面に基づいて説明する。図３は、この発明の実施形態に係る画像読取装置を包含するＭＦＰ（Multi Function Printer）１０の構成を示す斜視図である。図４は、ＭＦＰ１０の構成を示す側面図である。図５は、ＭＦＰ１０の構成を示す平面図である。
【００２２】
ＭＦＰ１０は、本体２０、フラットベッドカバー（以下、カバーという。）３０、表示部３１、及び、操作部３２を備えている。ＭＦＰ１０は、本体２０内に光学式の画像読取部４０及びインクジェット方式の画像形成部５０を備え、コピー機能、ファックス機能、プリンタ機能、及び、スキャナ機能などを有している。なお、カバー３０は、この発明のカバー部に相当する。
【００２３】
本体２０は、透明ガラスからなる原稿台２１（図６参照）を上面に備えている。原稿台２１の上には画像を読み取るべき原稿が載置される。
【００２４】
カバー３０は、本体２０の上面に対してヒンジ６０を中心に開閉自在にされており、原稿台２１上に載置された原稿の上面を押え付ける。カバー３０は、閉じた状態において、平面視で形状及び大きさが本体２０と略一致する。
【００２５】
表示部３１及び操作部３２は、カバー３０の上面に設けられている。表示部３１は、例えばカラー液晶表示部である。ＭＦＰ１０では、表示部３１がカバー３０の上面に設けられているので、表示部３１を大型化することができる。また、操作部３２は、表示部３１とともにカバー３０の上面に設けられているので、表示部３１を見ながらの操作が容易になる。さらに、操作部３２も大型化することができ、操作部３２を大型化することで、操作ミスが防止される。
【００２６】
図６は、ＭＦＰ１０の一部の構成を示す斜視図である。カバー３０と本体２０とを連結するヒンジ６０は、カバー３０の後端部であって幅方向の２箇所にそれぞれ配置されている。ヒンジ６０は、頭部６１と脚部６２とを有している。ヒンジ６０の頭部６１は、カバー３０に軸支されている。脚部６２は、二股に分かれており、幅方向（図６において矢印Ａ−Ｂ方向）に弾性を有する。ヒンジ６０は、脚部６２の幅方向の両外側面に、突起部６３を有する。突起部６３は、脚部６２の外側面に対して山形に形成され、垂直方向に対して傾斜する傾斜面を有する。
【００２７】
本体２０は、上面の後端部であってヒンジ６０の脚部６２に対向するそれぞれの位置に、孔２２を有する。孔２２の矢印Ａ−Ｂ方向の側面には、図示されていない凹部が設けられている。ヒンジ６０の脚部６２が孔２２に挿入された場合、脚部６２の突起部６３が孔２２の凹部に嵌まり込む。脚部６２の突起部６３が孔２２の凹部に嵌まり込んだ場合、ヒンジ６０は脚部６２が外側に広がろうとする弾性力によって、孔２２に係止される。
【００２８】
一方、突起部６３が凹部に嵌まり込む力を超える上向きの力がヒンジ６０に付加された場合、ヒンジ６０は本体２０の孔２２から引き抜かれる。上述のように、ヒンジ６０の脚部６２は、本体２０の孔２２に、挿脱自在にされている。これによって、カバー部３０は、本体２０に対して着脱自在にされている。
【００２９】
また、カバー部３０の後端部であって幅方向の一方の端部には、例えば３個のコネクタ８１Ａ，８２Ａ，８３Ａがカバー部３０の内部から導き出されている。コネクタ８１Ａは表示部３１に接続され、コネクタ８２Ａは操作部３２に接続されている。なお、例えば、カバー部３０に、積層された原稿を原稿台２１上の所定の画像読取位置に順次搬送する自動原稿搬送装置が搭載されている場合、コネクタ８３Ａは自動原稿搬送装置に接続される。
【００３０】
本体２０の後端部であって３個のコネクタ８１Ａ，８２Ａ，８３Ａに対応する位置に、３個のソケット８１Ｂ，８２Ｂ，８３Ｂが設けられている。コネクタ８１Ａはソケット８１Ｂに接続され、コネクタ８２Ａはソケット８２Ｂに接続され、コネクタ８３Ａはソケット８３Ｂに接続される。ソケット８１Ｂ，８２Ｂ，８３Ｂにコネクタ８１Ａ，８２Ａ，８３Ａが接続されない場合は、ソケット８１Ｂ，８２Ｂ，８３Ｂは、スライド蓋８４が閉じられることによって本体２０内に格納される。一方、ソケット８１Ｂ，８２Ｂ，８３Ｂにコネクタ８１Ａ，８２Ａ，８３Ａが接続される場合は、スライド蓋８４が開かれることで外部に露出される。
【００３１】
コネクタ８１Ａ，８２Ａ，８３Ａがソケット８１Ｂ，８２Ｂ，８３Ｂに挿し込まれ、又は、コネクタ８１Ａ，８２Ａ，８３Ａがソケット８１Ｂ，８２Ｂ，８３Ｂから抜かれることで、カバー部３０に搭載された表示部３１や操作部３２などの電子機器と本体２０とが電気的に容易に接続され又は容易に切断される。
【００３２】
図７は、ＭＦＰ１０の概略の構成を示すブロック図である。ＭＦＰ１０は、本体２０に、ＣＰＵ、ＲＯＭ及びＲＡＭなどを含む第１制御部７０を備えている。第１制御部７０には、画像読取部４０の光源４１、ＣＣＤラインセンサ４２、モータ及びクラッチなどを含む画像読取部負荷機器４３、並びに、画像形成部５０のモータ及びクラッチなどを含む画像形成部負荷機器５１などの入出力機器が接続され、第１制御部７０はこれらの入出力機器を統括的に制御している。例えば、第１制御部７０は、画像読取部４０で読み取った原稿の画像を画像データとして第１制御部７０内のメモリに記憶するとともに、カバー３０の第２制御部３３に出力する。
【００３３】
ＭＦＰ１０は、カバー３０に、ＣＰＵ、ＲＯＭ及びＲＡＭなどを含む第２制御部３３を備えている。第２制御部３３には、表示部３１及び操作部３２などの入出力機器が接続され、第２制御部３３はこれらの入出力機器を統括的に制御している。
【００３４】
なお、例えば、第２制御部３３は、画像処理用のプログラムを記憶しており、表示部３１に画像読取部４０で読み取られた画像を表示する。また、第２制御部３３は、操作部３２からの入力操作に基づいて、表示部３１に表示された画像を編集し、編集後の画像の画像データを記憶するとともに、本体２０の第１制御部７０に出力する。第１制御部７０は、第２制御部３３から入力された画像データを画像形成部５０に出力し、編集後の画像を用紙に形成する。
【００３５】
ＭＦＰ１０によれば、表示部３１がカバー３０の上面に設けられているので、表示部３１を容易に大型化することができる。また、表示部３１及び操作部３２がカバー３０の上面にのみ設けられ、カバー３０の上面以外の部分には設けられていないので、ＭＦＰ１０を小型化することができる。すなわち、ＭＦＰ１０の小型化を図りながら表示部３１の大型化を図ることができる。
【００３６】
また、表示部３１及び操作部３２の動作を制御する第２制御部３３を表示部３１及び操作部３２とともにカバー３０に設けたので、カバー３０を他の機種の本体に取り付けた場合でも、表示部３１及び操作部３２の第２制御部３３を付け替えることなく、表示部３１及び操作部３２を正常に作用させることができる。また、表示部３１及び操作部３２の第２制御部３３を付け替える手間を省くことができる。したがって、本体２０とカバー３０との組み合わせを容易に変更することができ、本体２０に対してカバー３０を、異なる機能を有する別のカバーに容易に交換することができる。
【００３７】
さらに、表示部３１及び操作部３２がカバー３０の上面に設けられ、本体２０とカバー３０とは、平面視において形状及び大きさがともに略一致するので、ＭＦＰ１０の小型化を図りながら、表示部を大型化することができる。
【００３８】
図８及び図９は、他の実施形態に係るＭＦＰ１０Ａの構成を示す。ＭＦＰ１０Ａは、表示部３１Ａ及び操作部３２Ａの位置を除いてＭＦＰ１０と略同様に構成されている。ＭＦＰ１０Ａは、本体２０Ａ及びカバー３０Ａを備えている。カバー３０Ａは、表示部３１Ａ、操作部３２Ａ及び自動原稿搬送装置３４Ａを備えている。
【００３９】
自動原稿搬送装置３４Ａは、積層された原稿を、原稿台２１Ａ上の所定の画像読取位置Ｐに順次搬送し、所定の排出位置３５Ａに排出する。表示部３１Ａ及び操作部３２Ａは、自動原稿搬送装置３４Ａの上面に配置されている。
【００４０】
ＭＦＰ１０Ａによれば、表示部３１Ａ及び操作部３２Ａが自動原稿搬送装置３４Ａの上面に配置され、自動原稿搬送装置３４Ａに給紙され又は自動原稿搬送装置３４Ａから排出される原稿が、表示部３１Ａ及び操作部３２Ａの上に覆い被さることがないので、表示部３１Ａを明瞭に視認できるとともに操作部３２Ａを的確に操作することができる。
【００４１】
なお、画像形成部６０は、インクジェット方式に限定されず、例えば電子写真方式又はサーマル方式などであってもよい。
【図面の簡単な説明】
【００４２】
【図１】従来の画像読取装置を示す平面図である。
【図２】従来の画像読取装置を示す平面図である。
【図３】この発明の実施形態に係る画像読取装置を包含するＭＦＰ（Multi Function Printer）の構成を示す斜視図である。
【図４】前記ＭＦＰの構成を示す側面図である。
【図５】前記ＭＦＰの構成を示す平面図である。
【図６】前記ＭＦＰの一部の構成を示す斜視図である。
【図７】前記ＭＦＰの概略の構成を示すブロック図である。
【図８】他の実施形態に係るＭＦＰの構成を示す平面図である。
【図９】自動原稿搬送装置を搭載したカバーの概略の構成を示す正面図である。
【符号の説明】
【００４３】
１０，１０Ａ  ＭＦＰ
２０  本体
２１  原稿台
３０  カバー（カバー部）
３１，３１Ａ  表示部
３２，３２Ａ  操作部
３３  第２制御部（制御部）
３４Ａ  自動原稿搬送装置
４０  画像読取部
５０  画像形成部
【図１】
2007043271.tif 000003
【図２】
2007043271.tif 000004
【図３】
2007043271.tif 000005
【図４】
2007043271.tif 000006
【図５】
2007043271.tif 000007
【図６】
2007043271.tif 000008
【図７】
2007043271.tif 000009
【図８】
2007043271.tif 000010
【図９】
2007043271.tif 000011